(57)【要約】  【課題】  泥棒や賊が、ガラス窓やガラス戸のガラス板を破損したり切断して侵入しようとした場合に、そのことを確実に検出できるようにした盗難防止装置を提供する。  【解決手段】  所定の形状の透明導電性パターン１４を形成した透明高分子フィルム１３を窓ガラス１７のガラス板の表面に張付けるとともに、この透明導電性パターン１４を検出回路２４と接続しておく。窓ガラス１７が破損されたり切断された場合には、これに伴って透明導電性パターン１４が断線するために、そのことを検出回路２４が検出し、警報回路２５が警報器２６を作動させる。【選択図】  図５
2006188929.tif 000002
【特許請求の範囲】
【請求項１】
ガラス窓、ガラス戸等のガラス板に張付けられる透明または半透明のフィルムにおいて、
透明または半透明の導電性パターンが形成され、該導電性パターンの断線によって異常を検出するようにした盗難防止用フィルム。
【請求項２】
ガラス板の補強を兼ねることを特徴とする請求項１に記載の盗難防止用フィルム。
【請求項３】
前記導電性パターンが透明導電膜であることを特徴とする請求項１に記載の盗難防止用フィルム。
【請求項４】
前記導電性パターンが酸化インジュウム（Ｉｎ２  Ｏ３  、ＩＴＯ）、酸化スズ（ＳｎＯ２  ）、または酸化亜鉛（ＺｎＯ）であることを特徴とする請求項１に記載の盗難防止用フィルム。
【請求項５】
透明または半透明の導電性パターンが形成された透明または半透明のフィルムをガラス窓、ガラス戸等のガラス板に張付け、
前記導電性パターンを検出回路と接続し、ガラス板が破損して前記導電性パターンが断線したら前記検出回路が検出動作を行なうことを特徴とする盗難防止装置。
【請求項６】
前記導電性パターンが枠体の近傍において端子に接続されることを特徴とする請求項５に記載の盗難防止装置。
【請求項７】
前記導電性パターンがガラス板の表面に接するように前記フィルムがガラス板に張付けられることを特徴とする請求項５に記載の盗難防止装置。
【発明の詳細な説明】
【技術分野】
【０００１】
本発明は盗難防止用フィルムおよび盗難防止装置に係り、とくにガラス窓やガラス戸等の破損に伴う盗難を防止する盗難防止フィルムおよび盗難防止装置に関する。
【背景技術】
【０００２】
治安の悪化に伴って、家屋や事務所、その他の建造物の安全性の確保が重要な課題になっている。とくに生活の場である家屋の扉や窓から泥棒や賊が侵入すると、平穏な生活を害され、場合によっては財産を奪われたり、身体や生命の安全を脅かされる。
【０００３】
そこで従来より、とくに扉や窓の部分に盗難防止装置を設け、外部から泥棒等が侵入しようとした場合には、そのことを検出し、警報を発したり、あるいは警備会社に通報したりすることによって、泥棒や賊の侵入を防止するようにしている。
【０００４】
一般的な盗難防止装置は、扉あるいはガラス窓の開閉時に移動する可動部分にマグネットを取付けるとともに、扉枠あるいは窓枠に非接触の近接スイッチを設けておき、扉あるいは窓をこじ開けた場合には上記マグネットが離間して近接スイッチが検出動作を行なうようにしている。この検出動作に応答して、検出回路が検出動作を行ない、警報器を作動させたり、警備会社に対して異常信号を送信するようにしている。
【０００５】
このような従来の盗難防止装置の欠点は、主要部がガラス板から構成されるガラス窓やガラス戸のガラス板を損壊させたり切断させたりして所定の大きさの開口部を形成し、このような開口部を通して賊が侵入しても、上記の非接触の検出スイッチが作動しないことである。従ってこの場合には警報器が作動せず、あるいはまた警備会社に対する通報も行なわれない。よって従来のこのような盗難防止装置は、ガラス板を破って侵入しようとする盗難に対して、無防備である。
【発明の開示】
【発明が解決しようとする課題】
【０００６】
本願発明の課題は、ガラス窓やガラス戸等のガラス板が破られたり、切断された場合に、そのことを確実に検出するようにした盗難防止用フィルム、およびこの盗難防止用フィルムを用いた盗難防止装置を提供することである。
【０００７】
本願発明の別の課題は、ガラス窓やガラス戸等のガラス板を切断した場合に、ガラス板に設けられている導電性パターンの断線によって異常を検出するようにした盗難防止用フィルム、およびこの盗難防止用フィルムを備える盗難防止装置を提供することである。
【０００８】
本願発明のさらに別の課題は、ガラス板の補強を行なうためのフィルムによって盗難防止をも図り得るようにした盗難防止用フィルム、および盗難防止用フィルムを用いた盗難防止装置を提供することである。
【０００９】
本願発明のさらに別の課題は、盗難防止のための対策を施しても、透明性が損われず、このために光の透過を阻害しないようにした盗難防止用フィルム、およびこの盗難防止用フィルムを備える盗難防止装置を提供することである。
【００１０】
本願発明の上記の課題および別の課題は、以下に述べる本願発明の技術的思想およびその実施の形態によって明らかにされよう。
【課題を解決するための手段】
【００１１】
本願の主要な発明は、ガラス窓、ガラス戸等のガラス板に張付けられる透明または半透明のフィルムにおいて、
透明または半透明の導電性パターンが形成され、該導電性パターンの断線によって異常を検出するようにした盗難防止用フィルムに関するものである。
【００１２】
ここで盗難防止用フィルムがガラス板の補強を兼ねてよい。また前記導電性パターンが透明導電膜であってよい。また前記導電性パターンが酸化インジュウム（Ｉｎ２  Ｏ３  、ＩＴＯ  Ｉｎｄｉｕｍ  ｔｒｉ  ｏｘｃｉｄｅ）、酸化スズ（ＳｎＯ２  ）、または酸化亜鉛（ＺｎＯ）であってよい。
【００１３】
本願の別の主要な発明は、透明または半透明の導電性パターンが形成された透明または半透明のフィルムをガラス窓、ガラス戸等のガラス板に張付け、
前記導電性パターンを検出回路と接続し、ガラス板が破損して前記導電性パターンが断線したら前記検出回路が検出動作を行なうことを特徴とする盗難防止装置に関するものである。ここで前記導電性パターンが枠体の近傍において端子に接続されてよい。また前記導電性パターンがガラス板の表面に接するように前記フィルムがガラス板に張付けられてよい。
【発明の効果】
【００１４】
盗難防止用フィルムに関する主要な発明は、ガラス窓、ガラス戸等のガラス板に張付けられる透明または半透明のフィルムにおいて、透明または半透明の導電性パターンが形成され、該導電性パターンの断線によって異常を検出するようにしたものである。
【００１５】
従ってこのような盗難防止用フィルムをガラス窓やガラス戸のガラス板に張付けておくと、このガラス板を損傷したり切断して開口部を形成しようとした場合には、ガラス板に張付けられている盗難防止用フィルムの導電性パターンが断線する。従ってこの断線によって異常が検出される。
【００１６】
盗難防止装置に関する主要な発明は、透明または半透明の導電性パターンが形成された透明または半透明のフィルムをガラス窓、ガラス戸等のガラス板に張付け、導電性パターンを検出回路と接続し、ガラス板が破損して導電性パターンが断線したら検出回路が検出動作を行なうようにしたものである。
【００１７】
従ってこのような盗難防止装置によれば、泥棒や賊がガラス窓、ガラス戸等のガラス板を破断したり切断して開口部を形成し、中に入ろうとしても、ガラス板を破断あるいは切断する際に、このガラス板に貼付けられているフィルム上の導電性パターンが断線し、そのことを検出回路が検出して検出動作を行なうために、これによって異常を検出できるようになり、盗難防止を確実に行なうことが可能になる。
【発明を実施するための最良の形態】
【００１８】
以下本願発明を図示の実施の形態によって説明する。まず導電性パターンを有する盗難防止用フィルムの作製方法について図１〜図４によって説明する。図１に示すように、所定の形状および寸法の基板１０を用意する。基板１０は合成樹脂、金属、セラミック等の適当な材料から成る板状体であって、しかもその表面が平滑であることを要する。このような基板１０の表面には導電性薄膜１１を形成する。導電性薄膜１１としては、酸化インジュウム（Ｉｎ２  Ｏ３  、ＩＴＯ）、酸化スズ（ＳｎＯ２  ）、酸化亜鉛（ＺｎＯ３  ）等の透明金属薄膜１１を形成する。金属薄膜１１の形成方法は、一般的には蒸着によってなされるが、この他プラズマＣＶＤ、スパッタ等のいわゆる薄膜形成の従来の公知の方法を任意に選択できる。
【００１９】
このような薄膜１１を形成した後に、図２に示すように、その表面に離型性溶剤１２を導電性パターンが形成される部分を除いて塗布する。離型性溶剤としては、高分子フィルムに付着しない離型性インク、シリコン液、スクリーン印刷用インク等が用いられる。そしてここで、導電性パターンに対応する部分を残して印刷等の方法により薄膜１１の表面に上記離型性溶剤を付着させる。そしてこの後に離型性溶剤１２を乾燥させる。
【００２０】
この後に図３に示すように、ガラス板の補強を兼ねる透明高分子フィルム１３を上記基板１０の表面に接合する。透明高分子フィルム１３としては、高い透明性が要求される場合にはアクリル樹脂、ポリカーボネート樹脂、塩化ビニル樹脂等の材料が選択される。透明度が低くて良い場合には、ポリエステル樹脂、ポリエチレン等のポリオレフィン系樹脂が用いられる。またその厚さは５０〜３００μｍの範囲内である。またこのような樹脂の表面には、ポリエチレン系、ホットメルト系、ナイロン系、ポリエステル系等の比較的金属と接着し易い合成樹脂のエマルジョンを塗布しておき、これによって上記透明金属薄膜１１との接合性を高める。
【００２１】
上記透明高分子フィルム１３を薄膜１１の上に接合したならば、この状態で高分子フィルム１３に対して５０〜３００℃の範囲内の適当な温度で加熱しながら加圧する。するとこの高分子フィルム１３の表面に塗布された上記の合成樹脂のエマルジョンによって、離型性溶剤１２が塗布されない領域の透明金属薄膜１１が透明高分子フィルム１３の表面に転写される。従って図４に示すように、基板１０の表面から透明高分子フィルム１３を静かに剥離する。するとこの透明高分子フィルム１３の表面には、上記離型性溶剤１２が塗布されていない部分の透明金属薄膜１１が転写され、これによって表面に透明導電性パターン１４が形成された透明高分子フィルム１３が得られる。すなわち加熱転写法によって、基板１０の表面に予め形成した透明金属薄膜１１を選択的に透明高分子フィルム１３上に転写して透明導電性パターン１４を形成することが可能になる。
【００２２】
次にこのような透明高分子フィルム１３を用いた盗難防止装置の構成について説明すると、上記の透明導電性パターン１４を形成した透明高分子フィルム１３をガラス板１７の表面に図５に示すように接合する。窓ガラス１７は予めその周縁部を枠体１８によって保持されている。そしてこのような窓ガラス１７の表面のほぼ全域を覆うように透明高分子フィルム１３を接合する。このときに透明導電性パターン１４が図６Ａに示すように、このフィルム１３とガラス板１７との間に挟まれるようにする。これによって導電性パターン１４の絶縁が達成される。またこの導電性パターン１４のターミナルの部分を端子１９に接続する。端子１９は銅箔や薄い銅板から構成され、窓枠１８の所定の位置に保持される。そしてこの端子１９には枠体１８に取付けられたコネクタ１９に接続される。
【００２３】
なお上記透明高分子フィルム１３は、図６Ｂに示すように、２枚のガラス板１７の間に挟着されるように張付けられてもよい。あるいはまたペアガラスを構成する２枚のガラス板１７の内の一方のガラス板１７の内表面に、図６Ｃに示すように張付けられる。すなわちペアガラスとして窓ガラスを構成する場合には、内部の密閉空間に高分子フィルム１３が位置するように一方の窓ガラス１７の表面に接合される。
【００２４】
次に検出回路について図７により説明する。ガラス板１７上の上記透明導電性パターン１４は端子１９およびコネクタ２０を介して図７に示すように検出回路２４に接続される。そして検出回路２４がさらに警報回路２５に接続される。警報回路２５は警報器２６に接続される。
【００２５】
従ってこのような構成によれば、例えば窓ガラス１７が破損されたり、ガラス切りのような特殊な刃物によって切断されて開口部が形成された場合には、同時にこの窓ガラス１７の表面に接合されている導電性高分子フィルム１３の表面の透明導電性パターン１４の少なくとも一部が切断されることになる。従って図７に示す導電性パターン１４が閉回路を形成した状態から開放状態に変化する。従ってこのことを検出回路２４によって検出できる。検出回路２４が導電性パターン１４の破断を検出すると、これに応答して警報回路２５が警報器２６を駆動する。よって警報器２６は警報動作を行なう。従って窓ガラス１７が破られたことを検出して警報器が作動することになり、これによって泥棒や賊の侵入を知ることができる。
【００２６】
このように本実施の形態の盗難防止用フィルム１３およびこの盗難防止用フィルム１３を用いた盗難防止装置は、窓ガラス１７の枠体１８にマグネットを取付け、これを非接触型の検出スイッチによって検出するものではなく、窓ガラス１７に接合された透明高分子フィルム１３の導電性パターン１４の断線を検出するものである。従って窓ガラス１７それ自体が閉じられており、この窓ガラス１７のガラス板を損壊させて人が入る大きさの穴を形成し、この穴から賊が侵入しようとした場合に、そのことを確実に検出できるようになる。従って従来不可能であった窓ガラス１７の破損あるいは損傷に伴う外部からの賊の侵入が未然に回避されることになる。
【００２７】
導電性パターン１４が形成された透明高分子フィルム１３は、補強ファィルムに兼用されている。すなわちこの窓ガラス１７が破損しないように補強する補強フィルムを構成している。また破損された場合に、ガラス片が粉々に飛散しないように飛散防止の機能をも果している。従ってこれにより、ガラスそれ自体が高分子フィルム１３によって補強され、さらに破損時の飛散防止が図られることになる。従ってとくに大きなコストの上昇がなく、しかも補強と盗難防止とを同時に達成することができる。
【００２８】
また上記導電性パターン１４の組成に不純物を添加することによって、上記導電性パターン１４が抵抗値を有するようになる。従って抵抗値を有する導電性パターン１４に通電を行なうと、透明高分子フィルム１３が発熱する。従ってこのような発熱によって窓ガラス１７の温度が上昇し、露結が防止できる。また導電性パターン１４を密に形成しておくとともに、その方向を縦方向あるいは横方向とすると、水平偏波の電磁波あるいは垂直偏波の電磁波を遮断することができ、導電性パターン１４を有する透明高分子フィルム１３によって電波シールドが行なわれる。
【００２９】
上記透明高分子フィルム１３の表面に形成する透明導電性パターン１４の形成方法については、上述の加熱転写方法に限られることなく、各種の方法を採用できる。すなわち直接スクリーン印刷等の方法によって高分子フィルム１３上に透明導電性パターン１４を形成してもよい。あるいはまた透明高分子フィルム１３の表面にマスクを施して直接薄膜形成の手法を用いて透明導電性パターンを形成することも可能である。すなわちスパッタリング等の方法によって透明高分子フィルム１３上に透明導電性パターンを形成してもよい。あるいはまた導電性インクのスクリーン印刷によって透明導電性パターンを形成することも可能である。
【００３０】
また窓ガラス１７に接合されかつ補強を兼用する透明高分子フィルム１３に形成される透明導電性パターン１４のパターン形状は、必ずしも上記実施の形態によって限定されるものではなく、図８、図９、図１０に示すように各種の変更が可能である。すなわち人が入る大きさの開口、あるいは手が入る大きさの開口を形成した場合に、必ず一部の導電性パターン１４が切断され、これによって断線状態が発生するようなパターンとしておけばよい。
【００３１】
また盗難防止装置を構成する回路のブロックも、必ずしも図７に示す構成に限定されない。すなわち図１１に示すように、警報回路２５に代えて送信器２７を検出回路２４に接続し、この送信器２７によって警備会社等に異常信号を直ちに送信するようにしてもよい。この場合には異常信号を受信した警備会社が直ちに出動し、異常の原因を把握してそれに対応した適切な措置をとることが可能になる。
【００３２】
図１２はさらに別の実施の形態を示している。ここでは検出回路２４と接続される送信回路２８が無線送信回路を構成し、アンテナ２９によってワイヤレスで警報信号を外部に送信できるようにしている。従ってこのような構成によれば、信号伝送用ケーブルを盗難防止装置に接続する必要がなくなり、これによってこの設備の取付けが容易になる利点がある。
【００３３】
また図１２に示す実施の形態は、自動車の盗難防止装置に適用して好適である。すなわち自動車の、例えば運転席あるいは助手席の側方のドアのウインドウガラスに、透明導電性パターン１４を形成した透明高分子フィルム１３を接合することによって、自動車の盗難防止装置として利用できる。しかもここでウインドウガラスが破られた場合には、アンテナ２９によってワイヤレスで警報信号を外部に送信できるために、駐車中の自動車の盗難の警報送信装置として有用である。
【００３４】
以上本願発明を図示の実施の形態によって説明したが、本願発明は上記実施の形態によって限定されることなく、本願に含まれる発明の技術的思想の範囲内において各種の変更が可能である。例えば上記実施の形態は、窓ガラス１７の内表面に透明導電性パターン１４を形成した透明高分子フィルム１３を接合した構成を示しているが、固定式のガラス窓や窓ガラス以外の開閉式のガラス戸のガラス板に透明高分子フィルム１３を張付けて同様の作用効果を奏することが可能である。
【産業上の利用可能性】
【００３５】
本願発明は住居、事務所、その他各種の建造物のガラス窓やガラス戸の部分に取付けて外部からの泥棒や賊の侵入を防止することが可能な盗難防止装置に広く利用可能である。
【図面の簡単な説明】
【００３６】
【図１】透明金属薄膜を形成した基板の平面図である。
【図２】離型性溶剤を塗布した基板の平面図である。
【図３】透明高分子フィルムを接合した基板の平面図である。
【図４】基板から透明高分子フィルムを剥離する状態を示す要部斜視図である。
【図５】透明高分子フィルムを張付けた窓ガラスの正面図である。
【図６】透明高分子フィルムを張付けたガラス板の拡大縦断面図である。
【図７】盗難防止装置を構成する検出回路のシステム構成のブロック図である。
【図８】変形例の透明導電性パターンを示す透明高分子フィルムの平面図である。
【図９】別の変形例の透明導電性パターンを示す透明高分子フィルムの平面図である。
【図１０】さらに別の変形例の透明導電性パターンを示す透明高分子フィルムの平面図である。
【図１１】変形例の盗難防止用回路の回路図である。
【図１２】別の変形例の盗難防止用回路の回路図である。
【符号の説明】
【００３７】
１０  基板
１１  透明金属薄膜
１２  離型性溶剤
１３  透明高分子フィルム
１４  透明導電性パターン
１７  窓ガラス
１８  枠体
１９  端子
２０  コネクタ
２４  検出回路
２５  警報回路
２６  警報器
２７  送信器
２８  送信回路
２９  アンテナ
【図１】
2006188929.tif 000003
【図２】
2006188929.tif 000004
【図３】
2006188929.tif 000005
【図４】
2006188929.tif 000006
【図５】
2006188929.tif 000007
【図６】
2006188929.tif 000008
【図７】
2006188929.tif 000009
【図８】
2006188929.tif 000010
【図９】
2006188929.tif 000011
【図１０】
2006188929.tif 000012
【図１１】
2006188929.tif 000013
【図１２】
2006188929.tif 000014